(57)【要約】【課題】簡単な構成で乱流騒音や共鳴騒音の少ない送風装置を提供することを目的とする。【解決手段】箱体状の本体１と、この本体内にファン３と、このファン３の上流側と下流側の境界を仕切る仕切り板４と、この仕切り板４にベルマウス状の吸込口５を有するオリフィス６とを備え、このオリフィス６の上流側において、本体１からオリフィス６まで板状の遮音壁１０を備え、ファン３の回転軸９に垂直な平面から見ると、吸込口５と遮音壁１０が重なるように構成する。【選択図】図３
2006177234.tif 000002
【特許請求の範囲】
【請求項１】
箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスを備え、前記ファンから発生した音の一部を共鳴吸収する特徴を備えた送風装置。
【請求項２】
箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスを備え、前記本体吸込口下流側から前記吸込口上流側までの空間と連通した管部を持った密閉空洞部を備えたことを特徴とする送風装置。
【請求項３】
箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスを備え、前記ファンの上流側において、前記本体から前記仕切り板に向かう板状の遮音壁を備え、この遮音壁と前記仕切り板の間で隙間を備えたことを特徴とする送風装置。
【請求項４】
箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、このオリフィスの上流側において、前記本体から前記オリフィスまで板状の遮音壁を備え、前記ファンの回転軸に垂直な平面から見ると、前記吸込口と前記遮音壁が重なるように備えたことを特徴とする送風装置。
【請求項５】
ファンの回転軸に垂直な平面から見ると、本体吸込口の中心と吸込口の中心とが重ならないように備えたことを特徴とする請求項１乃至４いずれかに記載の送風装置。
【請求項６】
ファンの回転軸に垂直な平面から見ると、本体吸込口の中心から吸込口の中心に向かう方向に遮音板を備えたことを特徴とする請求項１乃至５いずれかに記載の送風装置。
【請求項７】
密閉空洞部に通気性を備えた吸音材を充填した請求項１乃至６いずれかに記載の送風装置。
【請求項８】
箱体上の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記ファンから発生した音の一部を共鳴吸収する特徴を備えた送風装置。
【請求項９】
箱体上の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記第２吸込口下流側から前記吸込口上流側までの空間と連通した管部を持った密閉空洞部を備えたことを特徴とする送風装置。
【請求項１０】
箱体状の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスを備え、前記ファンの上流側において、前記分割板から前記仕切り板に向かう板状の遮音壁を備え、この遮音壁と前記仕切り板の間で隙間を備えたことを特徴とする送風装置。
【請求項１１】
箱体状の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、このオリフィスの上流側において、前記分割板から前記オリフィスに向かい板状の遮音壁を備え、前記ファンの回転軸に垂直な平面から見ると、前記オリフィスと前記遮音壁が重なるように備えたことを特徴とする送風装置。
【請求項１２】
ファンの回転軸に垂直な平面から見ると、第２吸込口の中心と吸込口の中心とが重ならないように備えたことを特徴とする請求項８乃至１１いずれかに記載の送風装置。
【請求項１３】
ファンの回転軸に垂直な平面から見ると、第２吸込口の中心から吸込口の中心に向かう方向に前記遮音壁を備えたことを特徴とする請求項８乃至１２いずれかに記載の送風装置。
【請求項１４】
密閉空洞部に通気性を備えた吸音材を充填した請求項８乃至１３いずれかに記載の送風装置。
【請求項１５】
ファンが軸流ファンであることを特徴とする請求項１乃至１４いずれかに記載の送風装置。
【請求項１６】
ファンがターボファンであることを特徴とする請求項項１乃至１４いずれかに記載の送風装置。
【請求項１７】
箱体状の本体の側面に外部に吐出する吐出口を備え、ファンの回転軸に垂直な平面から見ると、前記吐出口からファンの回転中心に向かう方向に遮音壁を備えたことを特徴とする請求項１５または１６記載の送風装置。
【請求項１８】
ファンがシロッコファンであることを特徴とする請求項１乃至１４いずれかに記載の送風装置。
【発明の詳細な説明】
【技術分野】
【０００１】
本発明は、換気送風機器などに使用される送風装置に関するものである。
【背景技術】
【０００２】
従来、この種の送風装置は、本体内で発生する騒音を遮音及び共鳴騒音の低下により低減させることが求められている（例えば、特許文献１参照）。
【０００３】
以下、その送風装置について図１６を参照しながら説明する。
【０００４】
図に示すように、下面を開口した本体１０１と、この本体１０１内の天面１０２に羽根車１０３を固着した電動機１０４を設け、羽根車１０３と周囲を囲むうず巻ケーシング１０５と、ベルマウス状の吸込口１０６を有する吸込ケーシング１０７と隙間ｈを隔て吸込ケーシング１０７の吸込口１０６と同等あるいは小さな吸込孔１０８を有するオリフィス１０９を吸込ケーシング１０７の下端１１０とオリフィス１０８の端部１１１とを隙間ｉを隔てて設け、このオリフィス１０９より下面の本体１０１の下面開口部にグリル１１２を設けた天井埋込形換気扇により乱流騒音や共鳴騒音を消音する。
【特許文献１】特開平８−９４１４６号公報（第５頁、第１図）
【発明の開示】
【発明が解決しようとする課題】
【０００５】
このような従来の送風装置では、複雑な形状のオリフィスを使用するため、別の部品にしなければならず、製作コストがあがるという課題があった。
【０００６】
本発明は、このような従来の課題を解決するものであり、簡単な形状で、従来と同等以上の消音効果を得ることを目的としている。
【課題を解決するための手段】
【０００７】
上記目的を達成するために、本発明の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、前記ファンから発生した音の一部を共鳴吸収する特徴を備えている。
【０００８】
また、本発明の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、前記本体吸込口下流側から前記吸込口上流側までの空間と連通した管部を持った密閉空洞部を備えたことを特徴とする。
【０００９】
また、本発明の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、前記ファンの上流側において、前記本体から前記仕切り板に向かう板状の遮音壁を備え、この遮音壁と前記仕切り板の間で隙間を備えたことを特徴とする。
【００１０】
また、本発明の送風装置は、箱体状の本体と、この本体に外部から空気を吸込む体吸込口と、前記本体内にファンと、このファンの上流側と下流側の境界を仕切る仕切り板と、この仕切り板にベルマウス状の吸込口を有するオリフィスとを備え、このオリフィスの上流側において、前記本体から前記オリフィスまで板状の遮音壁を備え、前記ファンの回転軸に垂直な平面から見ると、前記吸込口と前記遮音壁が重なるように備えたことを特徴とする。
【００１１】
また、本発明の送風装置は、ファンの回転軸に垂直な平面から見ると、本体吸込口の中心と吸込口の中心とが重ならないように備えたことを特徴とする。
【００１２】
また、本発明の送風装置は、ファンの回転軸に垂直な平面から見ると、本体吸込口の中心から吸込口の中心に向かう方向に遮音板を備えたことを特徴とする。
【００１３】
また、本発明の送風装置は、密閉空洞部に通気性を備えた吸音材を充填したことを特徴とする。
【００１４】
また、本発明の送風装置は、箱体上の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記ファンから発生した音の一部を共鳴吸収する特徴を備えている。
【００１５】
また、本発明の送風装置は、箱体上の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記第２吸込口下流側から前記吸込口上流までの空間と連通した管部を持った密閉空洞部を備えたことを特徴とする。
【００１６】
また、本発明の送風装置は、箱体状の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記ファンの上流側において、前記分割板から前記仕切り板に向かう板状の遮音壁を備え、この遮音壁と前記仕切り板の間で隙間を備えたことを特徴とする。
【００１７】
また、本発明の送風装置は、箱体状の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、このオリフィスの上流側において、前記分割板から前記オリフィスに向かい板状の遮音壁を備え、前記ファンの回転軸に垂直な平面から見ると、前記吸込口と前記遮音壁が重なるように備えたことを特徴とする。
【００１８】
また、本発明の送風装置は、ファンの回転軸に垂直な平面から見ると、第２吸込口の中心と吸込口の中心とが重ならないように備えたことを特徴とする。
【００１９】
また、本発明の送風装置は、ファンの回転軸に垂直な平面から見ると、第２吸込口の中心から吸込口の中心に向かう方向に遮音壁を備えたことを特徴とする。
【００２０】
また、本発明の送風装置は、密閉空洞部に通気性を備えた吸音材を充填したことを特徴とする。
【００２１】
また、本発明の送風装置は、ファンが軸流ファンであることを特徴とする。
【００２２】
また、本発明の送風装置は、ファンがターボファンであることを特徴とする。
【００２３】
また、本発明の送風装置は、箱体状の本体の側面に外部に吐出する吐出口を備え、ファンの回転軸に垂直な平面から見ると、前記吐出口からファンの回転中心に向かう方向に遮音壁を含むように備えたことを特徴とする。
【００２４】
また、本発明の送風装置は、ファンがシロッコファンであることを特徴とする。
【発明の効果】
【００２５】
本発明の送風装置によれば、簡単な構造で、本体内で発生する乱流騒音や共鳴騒音を消音することのできる送風装置が得られる。
【発明を実施するための最良の形態】
【００２６】
請求項１に記載の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、前記ファンから発生した音の一部を共鳴吸収する特徴を備えたものであり、本体内で発生する乱流騒音や共鳴騒音を消音することができる。
【００２７】
請求項２に記載の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、前記本体吸込口下流側から前記吸込口上流側までの空間と連通した管部を持った密閉空洞部を備えたことを特徴とするものであり、本体内で発生する乱流騒音や共鳴騒音を消音することができる。
【００２８】
請求項３に記載の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、前記ファンの上流側において、前記本体から前記仕切り板に向かう板状の遮音壁を備え、この遮音壁と前記仕切り板の間で隙間を備えたことを特徴とするものであり、遮音壁により共鳴吸収される密閉空洞部が作られ、簡単な構造で、本体内で発生する乱流騒音や共鳴騒音を消音することができる。
【００２９】
請求項４に記載の送風装置は、箱体状の本体と、この本体に外部から空気を吸込む本体吸込口と、前記本体内にファンと、このファンの上流側と下流側の境界を仕切る仕切り板と、この仕切り板にベルマウス状の吸込口を有するオリフィスとを備え、このオリフィスの上流側において、前記本体から前記オリフィスまで板状の遮音壁を備え、前記ファンの回転軸に垂直な平面から見ると、前記吸込口と前記遮音壁が重なるように備えたことを特徴とするものであり、遮音壁により共鳴吸収される密閉空洞部が作られ、簡単な構造で、本体内で発生する乱流騒音や共鳴騒音を消音することができる。
【００３０】
請求項５に記載の発明は、請求項１乃至４いずれかに記載の送風装置において、箱体状の本体に外部から空気を吸込む本体吸込口を備え、ファンの回転軸から垂直な平面から見ると、前記本体吸込口の中心と吸込口の中心とが重ならないように備えたことを特徴とするものであり、遮音壁により共鳴吸収される密閉空洞部が作られ、さらに音波が吸込口から外部に放出しにくくなり、簡単な構造で、本体内で発生する乱流騒音や共鳴騒音を消音することができる。
【００３１】
請求項６に記載の発明は、請求項１乃至５いずれかに記載の送風装置において、ファンの回転軸に垂直な平面から見ると、本体吸込口の中心から吸込口の中心に向かう方向に遮音板を備えたことを特徴とするものであり、遮音壁により共鳴吸収される密閉空洞部が作られ、さらに音波が吸込口から外部に放出しにくくなり、簡単な構造で、本体内で発生する乱流騒音や共鳴騒音を消音することができる。
【００３２】
請求項７に記載の発明は、請求項１乃至６いずれかに記載の送風装置において、密閉空洞部に通気性を備えた吸音材を充填したことを特徴とするものであり、遮音壁により共鳴吸収される密閉空洞部が作られ、さらに吸音材の効果により、簡単な構造で、本体内で発生する乱流騒音や共鳴騒音を消音することができる。
【００３３】
請求項８に記載の送風装置は、箱体上の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記ファンから発生した音の一部を共鳴吸収する特徴を備えたものであり、本体内で発生する乱流騒音や共鳴騒音を消音することができる。
【００３４】
請求項９に記載の送風装置は、箱体上の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記第２吸込口下流側から前記吸込口上流までの空間と連通した管部を持った密閉空洞部を備えたことを特徴とするものであり、本体内で発生する乱流騒音や共鳴騒音を消音することができる。
【００３５】
請求項１０に記載の送風装置は、箱体状の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、前記ファンの上流側において、前記分割板から前記仕切り板に向かう板状の遮音壁を備え、この遮音壁と前記仕切り板の間で隙間を備えたことを特徴とするものであり、遮音壁により共鳴吸収される密閉空洞部が作られ、簡単な構造で、本体内で発生する乱流騒音や共鳴騒音を消音することができる。
【００３６】
請求項１１に記載の送風装置は、箱体状の本体と、この本体の上面と下面が分かれるように分割する分割板と、前記本体に外部から空気を吸込む第１吸込口と、前記分割板に前記第１吸込口から吸込んだ空気を吸込む第２吸込口と、この第２吸込口下流側の空間にファンと、このファンの上流側と下流側の境界を仕切る仕切り板と、この仕切り板にベルマウス状の吸込口を有するオリフィスとを備え、このオリフィスの上流側において、前記分割板から前記オリフィスに向かい板状の遮音壁を備え、前記ファンの回転軸に垂直な方向から見ると、前記吸込口と前記遮音壁が重なるように備えたことを特徴とするものであり、遮音壁により共鳴吸収される密閉空洞部が作られ、簡単な構造で、本体内で発生する乱流騒音や共鳴騒音を消音することができる。
【００３７】
請求項１２に記載の発明は、請求項８乃至１１いずれかに記載の送風装置において、ファンの回転軸に垂直な平面から見ると、第２吸込口の中心と吸込口の中心とが重ならないように備えたことを特徴とするものであり、遮音壁により共鳴吸収される密閉空洞部が作られ、さらに音波が吸込口から外部に放出しにくくなり、簡単な構造で、本体内で発生する乱流騒音や共鳴騒音を消音することができる。
【００３８】
請求項１３に記載の発明は、請求項８乃至１２いずれかに記載の送風装置において、ファンの回転軸に垂直な平面から見ると、第２吸込口の中心から吸込口の中心に向かう方向に前記遮音壁を備えたことを特徴とするものであり、遮音壁により共鳴吸収される密閉空洞部が作られ、さらに音波が吸込口から外部に放出しにくくなり、簡単な構造で、本体内で発生する乱流騒音や共鳴騒音を消音することができる。
【００３９】
請求項１４に記載の発明は、請求項８乃至１３いずれかに記載の送風装置において、密閉空洞部に通気性を備えた吸音材を充填したことを特徴とするものであり、遮音壁により共鳴吸収される密閉空洞部が作られ、さらに吸音材の効果により、簡単な構造で、本体内で発生する乱流騒音や共鳴騒音を消音することができる。
【００４０】
請求項１５に記載の発明は、請求項１乃至１４いずれかに記載の送風装置において、ファンが軸流ファンであることを特徴とするものであり、遮音壁により共鳴吸収される密閉空洞部が作られ、簡単な構造で、本体内で発生する乱流騒音や共鳴騒音を消音することができる。
【００４１】
請求項１６に記載の発明は、請求項１乃至１４いずれかに記載の送風装置において、ファンがターボファンであることを特徴とするものであり、遮音壁により共鳴吸収される密閉空洞部が作られ、簡単な構造で、本体内で発生する乱流騒音や共鳴騒音を消音することができる。
【００４２】
請求項１７に記載の発明は、請求項１５または１６に記載の送風装置において、箱体状の本体の側面に外部に吐出する吐出口を備え、ファンの回転軸に垂直な平面から見ると、前記吐出口からファンの回転中心に向かう方向に遮音壁を備えたことを特徴とするものであり、遮音壁によりファンに流入する風量が少ない領域を共鳴吸収される密閉空洞部とすることで、風量特性を低下させずに、簡単な構造で、本体内で発生する乱流騒音や共鳴騒音を消音することができる。
【００４３】
請求項１８に記載の発明は、請求項１乃至１４いずれかに記載の送風装置において、ファンがシロッコファンであることを特徴とするものであり、遮音壁により共鳴吸収される密閉空洞部が作られ、簡単な構造で、本体内で発生する乱流騒音や共鳴騒音を消音することができる。
【００４４】
以下、本発明の送風装置の形態について、図１〜図１５を参照しながら説明する。
【００４５】
（実施の形態１）
図１は本発明の実施の形態１における送風装置の構成を示すファンの回転軸に対して平行な断面図である。図２は遮音壁を取り付けた送風装置の構成を示すファンの回転軸に対して平行な断面図である。図３は遮音壁をオリフィスの上流側に取り付けた送風装置の構成を示すファンの回転軸に対して平行な断面図である。図４は図３と同じ構成のファンの回転軸に対して垂直な断面図である。図５はファンの回転軸に対して垂直な平面から見た上視図である。図６は通気性を備えた吸音材を取り付けた送風装置の構成を示すファンの回転軸に対して平行な断面図である。
【００４６】
図１に示すように、本発明の送風装置は、箱体状の本体１と、この本体１の上面に外部から空気を吸込む本体吸込口２と、本体１内にファン３と、ファン３の上流側と下流側の境界を仕切る仕切り板４と、この仕切り板にベルマウス状の吸込口５を有するオリフィス６を備え、ファン３の上流側において、ファン３から発生した音の一部が管部７に入射し共鳴吸収される密閉空洞部８を備えるという構成となっている。
【００４７】
ここで、本体１は立方体としたが、図１のような構成となれば、必ずしも立方体にする必要はない。
【００４８】
また、ファン３の回転軸９に垂直な平面から見ると、吸込口５の形状は円形状であり、吸込口５の中心はファン３の回転軸９上にある。
【００４９】
また、図１では、管部７の形状は、円管であるが、必ずしも円管である必要はない。
【００５０】
また、管部７はファン３の上流側に備え、一方は本体吸込口２下流側から吸込口５上流側までの空間と連通しており他方は密閉空洞部８と連通している。密閉空洞部８は、管部７により外部と連通しており、管部７により外部と連通している部分以外は壁により囲まれている。
【００５１】
また、本体吸込口２は本体１の上面に備えるとしたが、密閉空洞部８以外の空間でファン３の上流側であれば、どこに備えてもよい。
【００５２】
なお、共鳴吸収する原理として、管部７の空気が非圧縮性の質量として働き、密閉空洞部８の空気は１つのバネとして働いて、この振動系の共振周波数に相当する音を選択的に吸音することができる。このため、管部７や密閉空洞部８の形状を変化させることで、吸音する周波数を選択することができる。
【００５３】
ここに、消音する共鳴周波数を求める式を示す。
【００５４】
【数１】
2006177234.tif 000003
【００５５】
ここで、ｆｒ：共鳴周波数、Ｃ：音速、ｎ：あなの個数、ａ：管部７の半径、ｌｃ：管部７の長さ。
【００５６】
上記の式を使えば、問題となる周波数を選択的に消音することが可能である。
【００５７】
図２に示すように、箱体状の本体１と、この本体１の上面に外部から空気を吸込む本体吸込口２と、本体１内にファン３と、このファン３の上流側と下流側の境界を仕切る仕切り板４と、この仕切り板４にベルマウス状の吸込口５を有するオリフィス６を備え、ファン３の上流側において、本体１から仕切り板４に向かう板状の遮音壁１０を備え、この遮音壁１０と仕切り板４の間で隙間を備えるという構成となっている。
【００５８】
ここで、本体１は、立方体としたが、図２のような構成となれば、必ずしも立方体にする必要はない。
【００５９】
また、ファン３の回転軸９に垂直な平面から見ると、吸込口５の形状は円形状であり、吸込口５の中心はファン３の回転軸９上にある。
【００６０】
また、隙間１１はファン３の上流側に備え、一方は本体吸込口２下流側から吸込口５上流側までの空間と連通しており他方は密閉空洞部８と連通している。密閉空洞部８は、隙間１１により外部と連通しており、隙間１１により外部と連通している部分以外は壁により囲まれている。ここで、隙間１１と管部７とは、同じ効果を示す。
【００６１】
また、遮音壁１０は、本体１の上面からファン３の回転軸９と平行に構成されているが、遮音壁１０をファン３の回転軸９に対して斜めに構成してもよいし、本体１の側面から構成してもよい。
【００６２】
また、遮音壁１０は、本体１の少なくとも２つの側面に接し、真っ直ぐな板で構成しているが、必ずしも真っ直ぐな板にする必要はない。
【００６３】
また、本体吸込口２は本体１の上面に備えるとしたが、密閉空洞部８以外の空間でファン３の上流側であれば、どこに備えてもよい。
【００６４】
なお、共鳴吸収する原理として、隙間１１の空気が非圧縮性の質量として働き、密閉空洞部８の空気は１つのバネとして働いて、この振動系の共振周波数に相当する音を選択的に吸音することができる。このため、隙間１１や密閉空洞部８の形状を変化させることで、吸音する周波数を選択することができる。
【００６５】
図３に示すように、箱体状の本体１と、この本体１の上面に外部から空気を吸込む本体吸込口２と、本体１内にファン３と、このファン３の上流側と下流側の境界を仕切る仕切り板４と、この仕切り板４にベルマウス状の吸込口５を有するオリフィス６とを備え、このオリフィス６の上流側において、本体１からオリフィス６まで板状の遮音壁１０を備えるという構成となっている。
【００６６】
ここで、本体１は、立方体としたが、図３のような構成となれば、必ずしも立方体にする必要はない。
【００６７】
また、ファン３の回転軸９に垂直な平面から見ると、吸込口５の形状は円形状であり、吸込口５の中心はファン３の回転軸９上にある。
【００６８】
また、隙間１１はファン３の上流側に備え、一方は本体吸込口２下流側から吸込口５上流側までの空間と連通しており他方は密閉空洞部８と連通している。密閉空洞部８は、隙間１１により外部と連通しており、隙間１１により外部と連通している部分以外は壁により囲まれている。ここで、隙間１１と管部７とは、同じ効果を示す。
【００６９】
また、遮音壁１０は、仕切り板４と接しているが、遮音壁１０と仕切り板４を接しさせる必要もない。
【００７０】
また、遮音壁１０は、本体１の上面からファン３の回転軸９と平行に構成されているが、遮音壁１０を回転軸９に対して斜めに構成してもよいし、本体１の側面から構成してもよい。
【００７１】
また、遮音壁１０は、本体１の少なくとも２つの側面に接し、真っ直ぐな板で構成しているが、必ずしも真っ直ぐな板にする必要はない。
【００７２】
また、本体吸込口２は本体１の上面に備えるとしたが、密閉空洞部８以外の空間でファン３の上流側であれば、どこに備えてもよい。
【００７３】
なお、共鳴吸収する原理として、隙間１１の空気が非圧縮性の質量として働き、密閉空洞部８の空気は１つのバネとして働いて、この振動系の共振周波数に相当する音を選択的に吸音することができる。このため、隙間１１や密閉空洞部８の形状を変化させることで、吸音する周波数を選択することができる。
【００７４】
図４に示すように、ファン３の回転軸９に垂直な平面から見ると、吸込口５と遮音壁１０が重なるように備えるという構成となっている。また、遮音壁１０のすべてが吸込口５に重なっている必要もなく、遮音壁１０の一部分が重なっていればよい。
【００７５】
また、遮音壁１０は、本体１の向かい合う側面と接しており直線形状であるが、必ずしも直線形状にする必要はない。
【００７６】
図５に示すように、箱体状の本体１の上面に外部から空気を吸込む本体吸込口２を備え、ファン３の回転軸９に垂直な平面から見ると、本体吸込口２の中心と吸込口５の中心とが重ならないように備えるという構成となっている。
【００７７】
ここで、中心とは、ファン３の回転軸９に垂直な平面から見ると、本体吸込口２及び吸込口５を円形状とすれば円の中心である。本体吸込口２及び吸込口５が円形状でない場合は、本体吸込口２及び吸込口５のすべての点で同じ重さを持っていると仮定すると本体吸込口２及び吸込口５が釣り合う点を中心とする。
【００７８】
また、本体吸込口２の中心から吸込口２の中心に向かう方向に遮音板１０を備えることにより、大きな消音効果を得ることができる。
【００７９】
図６に示すように、密閉空洞部８に通気性を備えた吸音材１２を充填した構成となっている。
【００８０】
ここで、密閉空洞部８に通気性を備えた吸音材１２を充填すると吸音材１２の効果により効果的な消音効果を得ることができる。例えば、吸音材１２は、グラスウールである。
【００８１】
以上のように本実施の形態によれば、ファン３の上流側に密閉空洞部８を備えることにより、本体１内で発生する乱流騒音や共鳴騒音などを低減することができる。
【００８２】
また、本実施の形態によれば、遮音壁１０及び隙間１１によりファン３の上流側に密閉空洞部８を備えられ、密閉空洞部８により本体１内で発生する乱流騒音や共鳴騒音などを低減することができる。
【００８３】
また、遮音壁１０という簡単な部材で、本体１内で発生する乱流騒音や共鳴騒音などを低減することができる。
【００８４】
また、本実施の形態によれば、遮音壁１０及び隙間１１によりファン３の上流側に密閉空洞部８を備えられ、密閉空洞部８により本体１内で発生する乱流騒音や共鳴騒音などを低減することができる。
【００８５】
また、遮音壁１０という簡単な部材で、本体１内で発生する乱流騒音や共鳴騒音などを低減することができる。
【００８６】
また、ファン３の回転軸９に垂直な平面から見ると、吸込口５と遮音壁１０が重なっていることにより、吸込口５から放射される音波が、隙間１１に放射されやすくなり、乱流騒音や共鳴騒音など効果的に低減することができる。
【００８７】
また、本実施の形態によれば、ファン３の回転軸９に垂直な平面から見ると、本体吸込口２の中心と吸込口５の中心とを重ならないようにすることにより、吸込口５から放射された音波が直接外部に放射しにくくすることができる。
【００８８】
また、本体吸込口２の中心から吸込口５の中心に向かって遮音壁１０を備えることにより、乱流騒音や共鳴騒音などを遮音壁１０の効果で低減された音波を本体吸込口２から外部に放射しにくくすることができる。
【００８９】
また、本実施の形態によれば、密閉空洞部８に通気性を備えた吸音材１２を充填することにより、吸音材１２との相乗効果により、本体１内で発生する乱流騒音や共鳴騒音などを効果的に低減することができる。
【００９０】
（実施の形態２）
図７は本発明の実施の形態２における送風装置の構成を示すファンの回転軸に対して平行な断面図である。図８は遮音壁を取り付けた送風装置の構成を示すファンの回転軸に対して平行な断面図である。図９は遮音壁をオリフィスの上流側に取り付けた送風装置の構成を示すファンの回転軸に対して平行な断面図である。図１０は図９と同じ構成のファンの回転軸に対して垂直な断面図である。図１１はファンの回転軸に対して垂直な断面図である。図１２は通気性を備えた吸音材を取り付けた送風装置の構成を示すファンの回転軸に対して平行な断面図である。図１３はファンを軸流ファンとした送風装置の構成を示す側面図である。図１４はファンをターボファンとした送風装置の構成を示す側面図である。図１５はファン下流の通風路の構成を示すファンの回転軸に対して垂直な断面図である。
【００９１】
図７に示すように、本発明の送風装置は、本体１の上面１３と下面１４が分かれるように分割する分割板１５と、本体１の上面１３に外部から空気を吸込む第１吸込口１６と、分割板１５に第１吸込口１６から吸込んだ空気を吸込む第２吸込口１７と、この第２吸込口１７下流側の空間にファン３と、このファン３の上流側と下流側の境界を仕切る仕切り板４と、この仕切り板４にベルマウス状の吸込口５を有するオリフィス６とを備え、このオリフィス６の上流側において、ファン３から発生した音の一部が管部７に入射し共鳴吸収される密閉空洞部８を備えるという構成となっている。
【００９２】
ここで、本体１は、立方体としたが、図７のような構成となれば、必ずしも立方体にする必要はない。
【００９３】
また、ファン３の回転軸９に垂直な平面から見ると、吸込口５の形状は円形状であり、吸込口５の中心はファン３の回転軸９上にある。
【００９４】
また、図７では、管部７の形状は、円管であるが、必ずしも円管である必要はない。
【００９５】
また、管部７はファン３の上流側に備え、一方は第２吸込口１７下流側から吸込口５上流側までの空間と連通しており他方は密閉空洞部８と連通している。密閉空洞部８は、管部７により外部と連通しており、管部７により外部と連通している部分以外は壁により囲まれている。
【００９６】
なお、共鳴吸収する原理として、管部７の空気が非圧縮性の質量として働き、密閉空洞部８の空気は１つのバネとして働いて、この振動系の共振周波数に相当する音を選択的に吸音することができる。このため、管部７や密閉空洞部８の形状を変化させることで、吸音する周波数を選択することができる。
【００９７】
ここに、消音する共鳴周波数を求める式を示す。
【００９８】
【数２】
2006177234.tif 000004
【００９９】
ここで、ｆｒ：共鳴周波数、Ｃ：音速、ｎ：あなの個数、ａ：管部７の半径、ｌｃ：管部７の長さ。
【０１００】
上記の式を使えば、問題となる周波数を選択的に消音することが可能である。
【０１０１】
図８に示すように、本体１の上面１３と下面１４が分かれるように分割する分割板１５と、本体１の上面１３に外部から空気を吸込む第１吸込口１６と、分割板１５に第１吸込口１６から吸込んだ空気を吸込む第２吸込口１７と、この第２吸込口１７下流側の空間にファン３と、このファン３の上流側と下流側の境界を仕切る仕切り板４と、この仕切り板４にベルマウス状の吸込口５を有するオリフィス６を備え、ファン３の上流側において、分割板１５から仕切り板４に向かう板状の遮音壁１０を備え、この遮音壁１０と仕切り板４の間で隙間を備えるという構成となっている。
【０１０２】
ここで、本体１は、立方体としたが、図８のような構成となれば、必ずしも立方体にする必要はない。
【０１０３】
また、ファン３の回転軸９に垂直な平面から見ると、吸込口５の形状は円形状であり、吸込口５の中心はファン３の回転軸９上にある。
【０１０４】
また、隙間１１はファン３の上流側に備え、一方は第２吸込口１７下流側から吸込口５上流側までの空間と連通しており他方は密閉空洞部８と連通している。密閉空洞部８は、隙間１１により外部と連通しており、隙間１１により外部と連通している部分以外は壁により囲まれている。ここで、隙間１１と管部７とは、同じ効果を示す。
【０１０５】
また、遮音壁１０は、本体１の上面１３からファン３の回転軸９と平行に構成されているが、遮音壁１０をファンの回転軸９に対して斜めに構成してもよいし、本体１の側面から構成してもよい。
【０１０６】
また、遮音壁１０は、本体１の少なくとも２つの側面に接し、真っ直ぐな板で構成しているが、必ずしも真っ直ぐな板にする必要はない。
【０１０７】
また、第１吸込口１６は本体１の上面１３に備えるとしたが、第２吸込口１７の上流側であれば本体１のどこに備えてもよい。
【０１０８】
なお、共鳴吸収する原理として、隙間１１の空気が非圧縮性の質量として働き、密閉空洞部８の空気は１つのバネとして働いて、この振動系の共振周波数に相当する音を選択的に吸音することができる。このため、隙間１１や密閉空洞部８の形状を変化させることで、吸音する周波数を選択することができる。
【０１０９】
図９に示すように、本体１の上面１３と下面１４が分かれるように分割する分割板１５と、本体１の上面１３に外部から空気を吸込む第１吸込口１６と、分割板１５に第１吸込口１６から吸込んだ空気を吸込む第２吸込口１７と、この第２吸込口１７下流側の空間にファン３と、このファン３の上流側と下流側の境界を仕切る仕切り板４と、この仕切り板４にベルマウス状の吸込口５を有するオリフィス６とを備え、このオリフィス６の上流側において、分割板１５からオリフィス６まで板状の遮音壁１０を備えるという構成となっている。
【０１１０】
ここで、本体１は、立方体としたが、図９のような構成となれば、必ずしも立方体にする必要はない。
【０１１１】
また、ファン３の回転軸９に垂直な平面から見ると、吸込口５の形状は円形状であり、吸込口５の中心はファン３の回転軸９上にある。
【０１１２】
また、隙間１１はファン３の上流側に備え、一方は第２吸込口１７下流側から吸込口５上流側までの空間と連通しており他方は密閉空洞部８と連通している。密閉空洞部８は、隙間１１により外部と連通しており、隙間１１により外部と連通している部分以外は壁により囲まれている。ここで、隙間１１と管部７とは、同じ効果を示す。
【０１１３】
また、遮音壁１０は、仕切り板４と接しているが、遮音壁１０と仕切り板４を接しさせる必要もない。
【０１１４】
また、遮音壁１０は、本体１の上面からファン３の回転軸９と平行に構成されているが、遮音壁１０を回転軸９に対して斜めに構成してもよいし、本体１の側面から構成してもよい。
【０１１５】
また、遮音壁１０は、本体１の少なくとも２つの側面に接し、真っ直ぐな板で構成しているが、必ずしも真っ直ぐな板にする必要はない。
【０１１６】
また、本体吸込口２は本体１の上面に備えるとしたが、密閉空洞部８以外の空間でファン３の上流側であれば、どこに備えてもよい。
【０１１７】
なお、共鳴吸収する原理として、隙間１１の空気が非圧縮性の質量として働き、密閉空洞部８の空気は１つのバネとして働いて、この振動系の共振周波数に相当する音を選択的に吸音することができる。このため、隙間１１や密閉空洞部８の形状を変化させることで、吸音する周波数を選択することができる。
【０１１８】
図１０に示すように、ファン３の回転軸９に垂直な平面から見ると、吸込口５と遮音壁１０が重なるように備えるという構成となっている。また、遮音壁１０のすべてが吸込口５に重なっている必要もなく、遮音壁１０の一部分が重なっていればよい。
【０１１９】
また、遮音壁１０は、本体１の向かい合う側面と接しており直線形状であるが、必ずしも直線形状にする必要はない。
【０１２０】
図１１に示すように、本体１の上面１３と下面１４が分かれるように分割する分割板１５に第２吸込口１７を備え、ファン３の回転軸９に垂直な平面から見ると、第２吸込口１７の中心と吸込口５の中心とが重ならないように備えるという構成となっている。
【０１２１】
ここで、中心とは、ファン３の回転軸９に垂直な平面から見ると、第２吸込口１７及び吸込口５を円形状とすれば円の中心である。第２吸込口１７及び吸込口５が円形状でない場合は、第２吸込口１７及び吸込口５のすべての点で同じ重さを持っていると仮定すると第２吸込口１７及び吸込口５が釣り合う点を中心とする。
【０１２２】
また、第２吸込口１７の中心から吸込口５の中心に向かう方向に遮音板１０を備えることにより、大きな消音効果を得ることができる。遮音壁１０から第２吸込口を離せば離すほど、大きな消音効果を得ることができる。
【０１２３】
図１２に示すように、密閉空洞部８に通気性を備えた吸音材１２を充填した構成となっている。
【０１２４】
ここで、密閉空洞部８に通気性を備えた吸音材１２を充填すると吸音材１２の効果により効果的な消音効果を得ることができる。例えば、吸音材１２は、グラスウールである。
【０１２５】
図１３に示すように、ファンが軸流ファン１８であることを特徴とした構成となっている。
【０１２６】
ここで、軸流ファン１８とは回転軸に平行に気流を発生させるファンをいう。
【０１２７】
また、ファン回転軸に対して斜めに吐出する斜流ファンもある。
【０１２８】
図１４に示すように、ファンがターボファン１９であることを特徴とした構成となっている。
【０１２９】
ここで、ターボファンとは遠心送風機の中で特にファン出口のブレードの向きが、回転の逆方向に傾いているファンをいう。
【０１３０】
図１５に示すように、箱体状の本体１の側面２０に外部に吐出する吐出口２１を備え、ファン３の回転軸９に平行な平面から見ると、吐出口２１からファン３の回転中心に向かう方向に遮音壁１０を備えた構成となっている。
【０１３１】
ここで、ファン３の回転軸９に垂直な平面から見ると、吸込口５内部で吐出口２１から離れている範囲は吸込風量が少ない。このため、この範囲に遮音壁を備えると風量特性を低下させずに十分な消音効果を得ることができる。
【０１３２】
なお、図１５では、ファンを軸流ファンとしたがターボファンやシロッコファンでもよい。
【０１３３】
以上のように本実施の形態によれば、ファン３の上流側に密閉空洞部８を備えることにより、本体１内で発生する乱流騒音や共鳴騒音などを低減することができる。
【０１３４】
また、本実施の形態によれば、遮音壁１０及び隙間１１によりファン３の上流側に密閉空洞部８を備えられ、密閉空洞部８により本体１内で発生する乱流騒音や共鳴騒音などを低減することができる。
【０１３５】
また、遮音壁１０という簡単な部材で、本体１内で発生する乱流騒音や共鳴騒音などを低減することができる。
【０１３６】
また、本実施の形態によれば、遮音壁１０及び隙間１１によりファン３の上流側に密閉空洞部８を備えられ、密閉空洞部８により本体１内で発生する乱流騒音や共鳴騒音などを低減することができる。
【０１３７】
また、遮音壁１０という簡単な部材で、本体１内で発生する乱流騒音や共鳴騒音などを低減することができる。
【０１３８】
また、ファン３の回転軸９に垂直な平面から見ると、吸込口５と遮音壁１０が重なっていることにより、吸込口５から放射される音波が、隙間１１に放射されやすくなり、乱流騒音や共鳴騒音など効果的に低減することができる。
【０１３９】
また、本実施の形態によれば、ファン３の回転軸９に垂直な平面から見ると、第２吸込口１７の中心と吸込口５の中心とを重ならないようにすることにより、吸込口５から放射された音波が直接外部に放射しにくくすることができる。
【０１４０】
また、第２吸込口１７の中心から吸込口５の中心に向かって遮音壁１０を備えることにより、乱流騒音や共鳴騒音などを遮音壁１０の効果で低減された音波を第２吸込口１７から外部に放射しにくくすることができる。
【０１４１】
また、本実施の形態によれば、密閉空洞部８に通気性を備えた吸音材１２を充填することにより、吸音材１２との相乗効果により、本体１内で発生する乱流騒音や共鳴騒音などを効果的に低減することができる。
【０１４２】
また、本実施の形態によれば、ファンを軸流ファン１８としたものである。遮音壁１０及び隙間１１によりファン３の上流側に密閉空洞部８を備えられ、密閉空洞部８により本体１内で発生する乱流騒音や共鳴騒音などを低減することができる。
【０１４３】
また、遮音壁１０という簡単な部材で、本体１内で発生する乱流騒音や共鳴騒音などを低減することができる。
【０１４４】
また、本実施の形態によれば、ファンをターボファン１９としたものである。遮音壁１０及び隙間１１によりファン３の上流側に密閉空洞部８を備えられ、密閉空洞部８により本体１内で発生する乱流騒音や共鳴騒音などを低減することができる。
【０１４５】
また、遮音壁１０という簡単な部材で、本体１内で発生する乱流騒音や共鳴騒音などを低減することができる。
【０１４６】
また、本実施の形態によれば、ファン３の回転軸９に平行な平面から見ると、吐出口２１からファン３の回転中心に向かう方向に遮音壁１０を備える。吸込口５内部で遮音壁１０を備えた範囲は吸込風量が少なくなっているため、この範囲に遮音壁を備えると風量特性を低下させずに十分な消音効果を得ることができる。
【産業上の利用可能性】
【０１４７】
本発明にかかる送風装置は、簡単な構造で、消音効果を得ることができるので、製作コストを下げた換気装置、送風装置、空調装置などに適用することにおいて有用である。
【図面の簡単な説明】
【０１４８】
【図１】本発明の実施の形態１における送風装置の構成を示すファンの回転軸に平行な断面図
【図２】同送風装置における遮音壁を取り付けたファンの回転軸に平行な断面図
【図３】同送風装置における遮音壁をオリフィスの上流側に取り付けたファンの回転軸に平行な断面図
【図４】同送風装置における図３のファン回転軸に垂直な断面図
【図５】同送風装置におけるファンの回転軸に垂直な平面から見た上視図
【図６】同送風装置における通気性を備えた吸音材を取り付けたファンの回転軸に平行な断面図
【図７】本発明の実施の形態２における送風装置の構成を示すファンの回転軸に平行な断面図
【図８】同送風装置における遮音壁を取り付けたファンの回転軸に平行な断面図
【図９】同送風装置における遮音壁をオリフィスの上流側に取り付けたファンの回転軸に垂直な断面図
【図１０】同送風装置における図９のファン回転軸に垂直な断面図
【図１１】同送風装置におけるファンの回転軸に垂直な断面図
【図１２】同送風装置における通気性を備えた吸音材を取り付けたファンの回転軸に平行な断面図
【図１３】同送風装置におけるファンを軸流ファンとした側面図
【図１４】同送風装置におけるファンをターボファンとした側面図
【図１５】同送風装置におけるファン下流の通風路の構成を示すファンの回転軸に垂直な断面図
【図１６】従来の送風装置を示す横断面図
【符号の説明】
【０１４９】
１      本体
２      本体吸込口
３      ファン
４      仕切り板
５      吸込口
６      オリフィス
７      管部
８      密閉空洞部
９      回転軸
１０    遮音壁
１１    隙間
１２    吸音材
１３    上面
１４    下面
１５    分割板
１６    第１吸込口
１７    第２吸込口
１８    軸流ファン
１９    ターボファン
【図１】
2006177234.tif 000005
【図２】
2006177234.tif 000006
【図３】
2006177234.tif 000007
【図４】
2006177234.tif 000008
【図５】
2006177234.tif 000009
【図６】
2006177234.tif 000010
【図７】
2006177234.tif 000011
【図８】
2006177234.tif 000012
【図９】
2006177234.tif 000013
【図１０】
2006177234.tif 000014
【図１１】
2006177234.tif 000015
【図１２】
2006177234.tif 000016
【図１３】
2006177234.tif 000017
【図１４】
2006177234.tif 000018
【図１５】
2006177234.tif 000019
【図１６】
2006177234.tif 000020